(57)【要約】【課題】単純な作業によって移替え作業時における対象物質の取り違えを防止する。【解決手段】管理システムは、電子ペンと、前記電子ペンにより読取可能なコード化パターンが印刷されており容器に貼付された識別票と、前記電子ペンが読み取った情報を取得する端末装置と、を備える。第１の容器から第２の容器に対象物質を移し替える際、作業者が第１の容器の識別票に電子ペンで記入を行うと、第１の読取情報が端末装置へ送信される。また、作業者が第２の容器の識別票に電子ペンで記入を行うと、第２の読取情報が端末装置へ送信される。端末装置は、受信した読取情報を記憶するとともに、それら読取情報に基づいて、移替え作業が正しく行われたか否かを判定する。【選択図】図１
2014067216.tif 000002
【特許請求の範囲】
【請求項１】
電子ペンと、前記電子ペンにより読取可能なコード化パターンが印刷されており容器に貼付された識別票と、前記電子ペンが読み取った情報を取得する端末装置と、を備える管理システムであって、
前記端末装置は、
第１の容器内の対象物質を第２の容器に移替える作業を行う際に、前記第１の容器に貼付された第１の識別票に対して前記電子ペンで記入を行うことにより当該第１の識別票から読み取った第１の読取情報を受信する第１の受信手段と、
第１の容器内の対象物質を第２の容器に移替える作業を行う際に、前記第２の容器に貼付された第２の識別票に対して前記電子ペンで記入を行うことにより当該第２の識別票から読み取った第２の読取情報を受信する第２の受信手段と、
前記第１の読取情報及び前記第２の読取情報を記憶装置に記憶する記憶手段と、
前記第１の読取情報及び前記第２の読取情報に基づいて、前記移替え作業が正しく行われたか否かを判定する判定手段と、を備えることを特徴とする管理システム。
【請求項２】
前記識別票には、前記対象物質の識別情報を示すコード化パターンが形成されており、
前記判定手段は、前記第１の読取情報に含まれる識別情報と前記第２の読取情報に含まれる識別情報とが一致するときに、前記移替え作業が正しく行われたと判定することを特徴とする請求項１に記載の管理システム。
【請求項３】
前記識別票には、当該識別票が貼付された容器が移替え元容器であるか移替え先容器であるかを示す情報に対応するコード化パターンが形成されており、
前記判定手段は、前記第１の読取情報に含まれる識別情報と前記第２の読取情報に含まれる識別情報とが一致し、かつ、第１の容器が移替え元容器であることを示す情報を前記第１の読取情報が含むとともに第２の容器が移替え先容器であることを示す情報を前記第２の読取情報が含むときに、前記移替え作業が正しく行われたと判定することを特徴とする請求項１に記載の管理システム。
【請求項４】
前記識別票には、前記識別情報と、前記移替え元容器を示す情報と、前記移替え先容器を示す情報とが、人間の目視により読取可能に印刷されており、
前記移替え元容器であることを示す情報に対応するコード化パターンは前記移替え元容器を示す情報が印刷された領域に形成されており、
前記移替え先容器であることを示す情報に対応するコード化パターンは前記移替え先容器を示す情報が印刷された領域に形成されており、
前記電子ペンは、前記移替え元容器を示す情報が印刷された領域に記入を行うことにより前記移替え元容器であることを示す情報を読み取り、前記移替え先容器を示す情報が印刷された領域に記入を行うことにより前記移替え先容器を示す情報を読み取ることを特徴とする請求項３に記載の管理システム。
【請求項５】
前記移替え作業を伴う複数の工程を示す情報が印刷されているとともに、各工程を示す情報が印刷された領域に当該工程を示す情報に対応するコード化パターンが形成されている管理シートと、
各工程が実行される際に、前記管理シートに前記電子ペンで記入を行うことにより読み取った当該工程を示す情報を受信する第３の受信手段と、を備え、
前記記憶手段は、前記工程を示す情報を前記記憶装置に記憶することを特徴とする請求項１乃至４のいずれか一項に記載の管理システム。
【請求項６】
前記移替え作業が正しく行われていないと前記判定手段が判定したときに警告を発する警告手段を備えることを特徴とする請求項１乃至５のいずれか一項に記載の管理システム。
【請求項７】
電子ペンと、前記電子ペンにより読取可能なコード化パターンが印刷されており容器に貼付された識別票と、前記電子ペンが読み取った情報を取得する端末装置と、を備える管理システムの前記端末装置により実行される管理プログラムであって、
第１の容器内の対象物質を第２の容器に移替える作業を行う際に、前記第１の容器に貼付された第１の識別票に対して前記電子ペンで記入を行うことにより当該第１の識別票から読み取った第１の読取情報を受信する第１の受信手段、
第１の容器内の対象物質を第２の容器に移替える作業を行う際に、前記第２の容器に貼付された第２の識別票に対して前記電子ペンで記入を行うことにより当該第２の識別票から読み取った第２の読取情報を受信する第２の受信手段、
前記第１の読取情報及び前記第２の読取情報を記憶装置に記憶する記憶手段、
前記第１の読取情報及び前記第２の読取情報に基づいて、前記移替え作業が正しく行われたか否かを判定する判定手段、として前記端末装置を機能させることを特徴とする管理プログラム。
【発明の詳細な説明】
【技術分野】
【０００１】
本発明は、検体、試薬などの移替え作業を管理する管理システムに関する。
【背景技術】
【０００２】
不妊治療、生殖補助医療などの分野においては、精子、受精卵などの検体の取り違えが問題となっている。特にこの種の治療においては検体を容器から容器へと移し替える回数が多いため、誤って他人の検体を使用してしまう事件も発生しやすい。
【０００３】
このような取り違えを防止するため、バーコードなどを用いる手法が提案されている。例えば特許文献１では、培養容器間で細胞を移し替える際に、容器にＩＤ番号を示すバーコードを付与し、移替え前後の容器のＩＤ番号を関連付けてデータベースに記憶して管理する手法が提案されている。
【先行技術文献】
【特許文献】
【０００４】
【特許文献１】特開２００４−１１９号公報
【発明の概要】
【発明が解決しようとする課題】
【０００５】
しかし、特許文献１の手法は主としてバーコードを利用するものであり、人間が目視によるチェックを行うことができない。また、特許文献１の手法においてさらに人間の目視によるチェックを併用する場合には、目視によるチェック結果を記入、記録する手段と、バーコードリーダとを設ける必要があり、機器が増加するとともに作業者の作業も増加してしまう。
【０００６】
本発明は、単純な作業によって移替え作業時における対象物質の取り違えを防止することを主な目的とする。
【課題を解決するための手段】
【０００７】
本発明の１つの観点は、電子ペンと、前記電子ペンにより読取可能なコード化パターンが印刷されており容器に貼付された識別票と、前記電子ペンが読み取った情報を取得する端末装置と、を備える管理システムであって、前記端末装置は、第１の容器内の対象物質を第２の容器に移替える作業を行う際に、前記第１の容器に貼付された第１の識別票に対して前記電子ペンで記入を行うことにより当該第１の識別票から読み取った第１の読取情報を受信する第１の受信手段と、第１の容器内の対象物質を第２の容器に移替える作業を行う際に、前記第２の容器に貼付された第２の識別票に対して前記電子ペンで記入を行うことにより当該第２の識別票から読み取った第２の読取情報を受信する第２の受信手段と、前記第１の読取情報及び前記第２の読取情報を記憶装置に記憶する記憶手段と、前記第１の読取情報及び前記第２の読取情報に基づいて、前記移替え作業が正しく行われたか否かを判定する判定手段と、を備える。
【０００８】
上記の管理システムは、ある容器から他の容器へ対象物質を移し替える作業を管理する。なお、対象物質とは、人体から採取した検体や試薬など、移替え作業の対象となる各種の物質を含む概念である。
【０００９】
第１の容器から第２の容器に対象物質を移し替える際、作業者が第１の容器の識別票に電子ペンで記入を行うと、第１の読取情報が端末装置へ送信される。また、作業者が第２の容器の識別票に電子ペンで記入を行うと、第２の読取情報が端末装置へ送信される。端末装置は、受信した読取情報を記憶するとともに、それら読取情報に基づいて、移替え作業が正しく行われたか否かを判定する。
【００１０】
上記の管理システムの一態様では、前記識別票には、前記対象物質の識別情報を示すコード化パターンが形成されており、前記判定手段は、前記第１の読取情報に含まれる識別情報と前記第２の読取情報に含まれる識別情報とが一致するときに、前記移替え作業が正しく行われたと判定する。これにより、違う対象物質が誤って移替えの対象となることが防止される。
【００１１】
上記の管理システムの他の一態様では、前記識別票には、当該識別票が貼付された容器が移替え元容器であるか移替え先容器であるかを示す情報に対応するコード化パターンが形成されており、前記判定手段は、前記第１の読取情報に含まれる識別情報と前記第２の読取情報に含まれる識別情報とが一致し、かつ、第１の容器が移替え元容器であることを示す情報を前記第１の読取情報が含むとともに第２の容器が移替え先容器であることを示す情報を前記第２の読取情報が含むときに、前記移替え作業が正しく行われたと判定する。これにより、患者の一致に加えて、移替え先と移替え元の組み合わせが正しいことを確保することができる。
【００１２】
上記の管理システムの他の一態様では、前記識別票には、前記識別情報と、前記移替え元容器を示す情報と、前記移替え先容器を示す情報とが、人間の目視により読取可能に印刷されており、前記移替え元容器であることを示す情報に対応するコード化パターンは前記移替え元容器を示す情報が印刷された領域に形成されており、前記移替え先容器であることを示す情報に対応するコード化パターンは前記移替え先容器を示す情報が印刷された領域に形成されており、前記電子ペンは、前記移替え元容器を示す情報が印刷された領域に記入を行うことにより前記移替え元容器であることを示す情報を読み取り、前記移替え先容器を示す情報が印刷された領域に記入を行うことにより前記移替え先容器を示す情報を読み取る。これにより、人間の目視による確認と、システムによる確認とを併用して信頼性を高めることができる。
【００１３】
上記の管理システムの他の一態様は、前記移替え作業を伴う複数の工程を示す情報が印刷されているとともに、各工程を示す情報が印刷された領域に当該工程を示す情報に対応するコード化パターンが形成されている管理シートと、各工程が実行される際に、前記管理シートに前記電子ペンで記入を行うことにより読み取った当該工程を示す情報を受信する第３の受信手段と、を備え、前記記憶手段は、前記工程を示す情報を前記記憶装置に記憶する。これにより、複数の移替え工程がある場合に、各工程の順序を正しく管理することが可能となる。
【００１４】
上記の管理システムの他の一態様は、前記移替え作業が正しく行われていないと前記判定手段が判定したときに警告を発する警告手段を備える。これにより、誤った作業が行われている場合に、それを作業者に告知することができる。
【００１５】
本発明の他の観点は、電子ペンと、前記電子ペンにより読取可能なコード化パターンが印刷されており容器に貼付された識別票と、前記電子ペンが読み取った情報を取得する端末装置と、を備える管理システムの前記端末装置により実行される管理プログラムであって、第１の容器内の対象物質を第２の容器に移替える作業を行う際に、前記第１の容器に貼付された第１の識別票に対して前記電子ペンで記入を行うことにより当該第１の識別票から読み取った第１の読取情報を受信する第１の受信手段、第１の容器内の対象物質を第２の容器に移替える作業を行う際に、前記第２の容器に貼付された第２の識別票に対して前記電子ペンで記入を行うことにより当該第２の識別票から読み取った第２の読取情報を受信する第２の受信手段、前記第１の読取情報及び前記第２の読取情報を記憶装置に記憶する記憶手段、前記第１の読取情報及び前記第２の読取情報に基づいて、前記移替え作業が正しく行われたか否かを判定する判定手段、として前記端末装置を機能させる。
【００１６】
上記のプログラムをコンピュータを備える端末装置で実行することにより、上記の管理システムを実現することができる。
【発明の効果】
【００１７】
本発明によれば、識別票の印刷内容に基づいた人間の目視によるチェックと、電子ペンにより取得した情報に基づいたシステムによるチェックを併用することにより、信頼性の高い管理が可能となる。
【図面の簡単な説明】
【００１８】
【図１】管理システムの構成を模式的に示す図である。
【図２】電子ペンの構成を示すブロック図である。
【図３】ドットパターンによる情報の表現方法を説明する図である。
【図４】（ａ）はドットパターンを模式的に示し、（ｂ）はそれに対応する情報の例を示す。
【図５】容器及び識別票の例を示す。
【図６】管理シートの例を示す。
【図７】移替え作業を説明する図である。
【図８】端末装置の表示画面例を示す。
【図９】端末装置の表示画面の他の例を示す。
【図１０】端末装置の機能ブロック図である。
【図１１】移替え作業時の端末装置の処理を示すフローチャートである。
【発明を実施するための形態】
【００１９】
以下、図面を参照しながら、本発明の実施の形態について説明する。
【００２０】
（システム構成）
図１は、本発明の実施形態に係る管理システム１００の構成を模式的に示す。管理システム１００は、１つの容器に入った物質を他の容器に移し替える際に、正しい容器への移替えを管理するものである。
【００２１】
なお、以下の実施形態では、不妊治療における検体を移替えの対象として説明するが、本発明の適用はこれには限定されない。本発明は、容器から容器への移替えの対象となるあらゆる種類の検体、試薬などに適用することができる。なお、一般的に検体とは検査の材料であり、血液、髄液、尿などの体液や細胞など人体から採取されたものを指す。試薬とは、医療行為において使用される薬品などの物質を指す。本明細書においては、これら移替えの対象となる検体、試薬などを「対象物質」とも呼ぶ。
【００２２】
図示のように、管理システム１００は、電子ペン１０、容器３０、管理シート４０、端末装置６０を備える。容器３０には識別票３２が貼付されている。管理シート４０及び識別票３２は、電子ペン用の専用ペーパー２０であり、予めドットパターン（コード化パターン）が印刷されている。
【００２３】
電子ペン１０は、通常のインクペンと同様のペン先部１７を備えている。利用者が通常のインクペンと同様にペン先部１７によって専用ペーパー２０上に文字やチェックマークなどを記入すると、電子ペン１０は、ペン先部１７の移動軌跡（筆跡）に沿って、専用ペーパー２０に印刷されたドットパターンを局所的、連続的に読み取り、専用ペーパー２０におけるその局所位置の座標を算出し、その座標データ等に基づいて、記入された文字やチェックマークなどを一時的に記憶し、それを端末装置６０へ送信する。
【００２４】
端末装置６０は、ハードウェアとして、電子ペン１０とのデータ通信が可能なアンテナ装置、ＣＰＵ（Ｃｅｎｔｒａｌ  Ｐｒｏｃｅｓｓｉｎｇ  Ｕｎｉｔ）等のプロセッサ、ＲＯＭ（Ｒｅａｄ  Ｏｎｌｙ  Ｍｅｍｏｒｙ）やＲＡＭ（Ｒａｎｄｏｍ  Ａｃｃｅｓｓ  Ｍｅｍｏｒｙ）といったメモリ、スピーカ、ディスプレイ等で構成されるパーソナルコンピュータなどである。
【００２５】
専用ペーパー２０は、用紙上にドットパターンが印刷され、さらにその上に罫線や記入枠などの図案や項目、文言、イラスト等が印刷されたものである。ドットパターンは、赤外線を吸収するカーボンを含んだインキにより印刷される。また、図案等は、赤外域に吸収性を持たないインキにより印刷される。ドットパターンと図案等とは用紙に対して同時に印刷してもよいし、どちらかを先に別々に印刷してもよい。
【００２６】
続いて、ドットパターン（コード化パターン）について説明する。図３は、専用ペーパー２０に印刷されたドットパターンのドットとそのドットが変換される値との関係を説明する図である。図３に示すように、ドットパターンの各ドットは、その位置によって所定の値に対応付けられている。すなわち、ドットの位置を格子の基準位置（縦線及び横線の交差点）から上下左右のどの方向にシフトするかによって、各ドットは、０〜３の値に対応付けられている。また、各ドットの値は、さらに、Ｘ座標用の第１ビット値及びＹ座標用の第２ビット値に変換される。このようにして対応付けられた情報の組合せにより、専用ペーパー２０上の位置座標が決定されるよう構成されている。
【００２７】
図４（ａ）は、あるドットパターンの配列を示している。図４（ａ）に示すように、縦横約２ｍｍの範囲内に６×６個のドットが、専用ペーパー２０上のどの部分から６×６ドットを取ってもユニークなパターンとなるように配置されている。これら３６個のドットにより形成されるドットパターンは位置座標（例えば、そのドットパターンがその専用ペーパー２０上のどの位置にあるのか）と専用ペーパー２０毎に固有の識別子であるドットパターンアドレスを保持している。図４（ｂ）は、図４（ａ）に示す各ドットを、格子の基準位置からのシフト方向によって、図３に示す規則性に基づいて対応づけられた値に変換したものである。この変換は、ドットパターンの画像を撮影する電子ペン１０によって行われる。
【００２８】
次に電子ペン１０の構成について説明する。図２に示すように、電子ペン１０は、その内部にプロセッサ１１、メモリ１２、データ通信ユニット１３、バッテリー１４、ＬＥＤ１５、カメラ１６、圧力センサ１８、スピーカ１９及びクロック２２を備える。また、電子ペン１０は通常のインクペンと同様の構成要素としてインクカートリッジ（図示せず）などを有する。
【００２９】
バッテリー１４は電子ペン１０内の各部品に電力を供給するためのものであり、例えば電子ペン１０のキャップ（図示せず）の脱着により電子ペン１０自体の電源のオン／オフを行うよう構成させてもよい。クロック２２は、現在時刻（タイムスタンプ）を発信し、プロセッサ１１に供給する。圧力センサ１８は、利用者が電子ペン１０により専用ペーパー２０上に文字などを書く際にペン先部１７に与えられる圧力、即ち筆圧を検出し、プロセッサ１１へ供給する。
【００３０】
プロセッサ１１は、圧力センサ１８から与えられる筆圧データに基づいて、ＬＥＤ１５及びカメラ１６のスイッチオン／オフの切換を行う。即ち、利用者が電子ペン１０で専用ペーパー２０上に記入すると、ペン先部１７には筆圧がかかる。圧力センサ１８によって所定値以上の筆圧が検出されたときに、プロセッサ１１は、利用者が専用ペーパー２０に記入を開始したと判定して、ＬＥＤ１５及びカメラ１６を作動させる。
【００３１】
ＬＥＤ１５は、電子ペン１０のペン先付近に取り付けられており、専用ペーパー２０上のペン先部１７近傍（領域１５ａ）に向けて、赤外線を照明する（図１参照）。領域１５ａは、ペン先部１７が専用ペーパー２０に接触する位置とはわずかにずれている。カメラ１６は、ＬＥＤ１５によって照明された領域１５ａ内におけるドットパターンを撮影し、そのドットパターンの画像データをプロセッサ１１に供給する。ここで、カーボンは赤外線を吸収するため、ＬＥＤ１５によって照射された赤外線は、ドットの部分でドットに含まれるカーボンによって吸収される。そのため、ドットの部分は、赤外線の反射量が少なく、ドット以外の部分は赤外線の反射量が多い。したがって、カメラ１６の撮影により、赤外線の反射量の違いから、カーボンを含むドットの領域とそれ以外の領域を区別することができる。たとえ撮影領域に罫線や枠などが印刷されてあったとしても、罫線や枠などのインクは赤外域に吸収性を持たないため、ドットパターンを認識することができる。なお、カメラ１６による撮影領域は、図４（ａ）に示すような約２ｍｍ×約２ｍｍの大きさを含む範囲であり、カメラ１６の撮影は、毎秒５０〜１００回程度行われる。
【００３２】
プロセッサ１１は、利用者による記入等が行われる間、カメラ１６によって供給される画像データのドットパターンから、利用者が記入する直線や曲線の専用ペーパー２０上でのＸ，Ｙ座標（単に「座標データ」、「位置座標」とも呼ぶ）を連続的に算出していく。すなわち、プロセッサ１１は、カメラ１６によって供給される、図４（ａ）に示されるようなドットパターンの画像データを図４（ｂ）に示すデータ配列に変換し、さらに、Ｘ座標ビット値・Ｙ座標ビット値に変換して、そのデータ配列から所定の演算方法によりＸ，Ｙ座標データを算出するとともに、専用ペーパー２０に固有のドットパターンアドレス（コード化パターンアドレス）を算出する。そしてプロセッサ１１は、現在時刻（タイムスタンプ）を発信するクロック２２から時間情報を取得し、その時間情報と、筆圧データ、Ｘ，Ｙ座標データ及びドットパターンアドレスとを関連付け、これらの情報を位置座標情報（記入情報）として取得する。さらに、プロセッサ１１は、位置座標情報に基づいて所定の処理を実行する。ここで、一枚の専用ペーパー（電子ペン用媒体）２０内の６×６のドットパターンは、その専用ペーパー２０内で重複することはないため、利用者が電子ペン１０で所定のエリアに記入すると、その筆跡が専用ペーパー２０のどの位置に対応するものであるかを、座標データから特定することができる。
【００３３】
メモリ１２には、専用ペーパー２０上の位置座標情報と、専用ペーパー２０上の所定の領域に対応付けられた情報との対応関係が記憶されている。メモリ１２の容量は例えば１Ｍバイト〜２Ｇバイト程度とするとよい。スピーカ１９は、プロセッサ１１による出力指示によって、各種情報に応じた音声データを再生出力する。
【００３４】
データ通信ユニット１３は、プロセッサ１１により供給されるメモリ１２内の所定のデータを端末装置６０へ無線送信する。データ通信ユニット１３による送信は、Ｂｌｕｅｔｏｏｔｈ（登録商標）の無線送信によると好適である。なお、ＵＳＢケーブルを使用した有線送信、端子などの接触によるデータ送信など、他の方法によって、データ通信ユニット１３から端末装置６０へデータ送信を行ってもよい。
【００３５】
（容器・識別票）
次に、容器３０及び識別票３２について説明する。図５（ａ）及び図５（ｂ）は、専用ペーパー２０としての識別票３２が貼付された容器３０を模式的に示す。容器３０は検体を入れる容器であり、様々な大きさのものが使用される。図５の例では、容器Ａは容器Ｂより大きく、以下の説明では、移替え作業として容器Ａ内の検体を容器Ｂに移し替えるものとする。
【００３６】
識別票３２はシールとなっており、容器３０の外面に貼り付けられる。識別票３２は、前述のように電子ペン１０用の専用ペーパー２０であり、その表面にドットパターンが印刷されている。また、識別票３２には人間が目視により読取可能なインクで、容器の識別情報（「容器Ａ」）、検体の識別情報である患者ＩＤ（「Ａ０００１２１２」）、「入」と印刷された領域（以下、「入」欄と呼ぶ）３３、「出」と印刷された領域（以下、「出」欄と呼ぶ。）３４が印刷されている。
【００３７】
識別票３２は患者毎に用意されており、専用ペーパー２０としての識別票３２に印刷されたドットパターンが示すドットパターンアドレスが患者ＩＤと対応付けされてメモリ１２に記憶されている。即ち、患者ＩＤは、専用ペーパー２０である識別票３２に固有のドットパターンアドレスと対応付けされている。よって、作業者が電子ペンで識別票３２のいずれかの領域に記入を行えば、電子ペン１０はその識別票３２に対応する患者の患者ＩＤを取得することができる。取得された患者ＩＤは端末装置６０へ送信される。患者ＩＤは、検体の識別情報としての意味を有する。
【００３８】
「入」欄３３、「出」欄３４は電子ペン１０により記入がなされる領域であり、その容器３０を検体の移替え元の容器（以下、「移替え元容器」）として使用するか、移替え先の容器（以下、「移替え先容器」）として使用するかを指定するために使用される。具体的に、「入」欄３３は「入」の文字が印刷されており、移替え作業によってその容器３０に検体が入れられるとき、即ちその容器が移替え先容器として使用されるときに記入がなされる。また、「出」欄３４は「出」の文字が印刷されており、移替え作業によってその容器３０から検体が取り出されるとき、即ちその容器が移替え元容器として使用されるときに記入がなされる。
【００３９】
「入」欄３３の位置座標情報には、その容器３０が移替え先容器であることを示す情報が対応付けられ、その対応関係が前述のメモリ１２に記憶されている。同様に、「出」欄３４の位置座標情報には、その容器３０が移替え元容器であることを示す情報が対応付けられ、その対応関係がメモリ１２に記憶されている。よって、作業者が電子ペン１０で「入」欄３３にチェックマークなどを記入すると、電子ペン１０は「入」欄３３内の位置座標情報を取得し、メモリ１２を参照して、その位置座標情報に対応する情報としてその容器３０が移替え先容器であることを示す情報を取得する。一方、作業者が電子ペン１０で「出」欄３４にチェックマークなどを記入すると、電子ペン１０は「出」欄３４内の位置座標情報を取得し、メモリ１２を参照して、その位置座標情報に対応する情報としてその容器３０が移替え元容器であることを示す情報を取得する。電子ペン１０は、こうして各容器３０が移替え元容器であるか移替え先容器であるかを示す情報を取得して端末装置６０へ送信する。
【００４０】
（管理シート）
次に管理シート４０について説明する。図６は、管理シート４０の例を示す。管理シート４０は、必要な複数の工程が順に記載されたシートであり、電子ペン１０用の専用ペーパー２０として構成される。図示のように、管理シート４０には、患者名、患者ＩＤ、患者の住所などが印刷される。また、管理シート４０には、複数の工程名が印刷される。各工程には、対応するチェックボックス４２が設けられる。このチェックボックス４２内にはドットパターンが印刷されている。また、工程ごとに記入欄４３が設けられ、作業者が必要事項を記入することができるようになっている。各チェックボックス４２及び各記入欄４３の管理シート４０上での位置座標情報は各工程に対応付けられており、その対応関係がメモリ１２に記憶されている。よって、作業者が電子ペン１０で工程１のチェックボックス４２にチェックマークなどを記入すると、電子ペン１０はその位置座標情報を取得し、メモリ１２に記憶された対応関係を参照することにより、工程１がチェックされたことを認識する。同様に、作業者が電子ペン１０で工程１の記入欄４３に必要事項を記入すると、電子ペン１０はその記入内容を取得するとともに、その位置座標情報に基づいてメモリ１２を参照し、その記入内容が工程１の記入欄４３に記入されたことを認識する。
【００４１】
これらの情報は、所定のタイミングで電子ペン１０から端末装置６０へ送信される。端末装置６０に送信される情報には日時の情報が含まれているので、端末装置６０は日時の情報を参照することにより、各工程が正しい順序で行われたかどうかを確認することができる。即ち、端末装置６０は、各工程の実施状況を時系列で管理することができる。
【００４２】
（移替え作業）
次に、検体の移替え作業について説明する。図７は、検体の移替え作業例を模式的に示す。この例では、容器Ａに入っている検体を、スポイトなどの器具３４により容器Ｂへ移している。いま、この移替えを工程１の作業であるとする。この移替えの際には、作業者はまず管理シート４０を参照し、電子ペン１０で工程１のチェックボックス４２にチェックマークを記入する。これにより取得された情報が電子ペン１０から端末装置６０へ送信されると、端末装置６０は、工程１（精子操作）が行われることを知る。
【００４３】
次に、作業者は電子ペン１０で容器Ａの「出」欄３４にチェックマークを記入する。これにより、電子ペン１０は、容器Ａの識別票３２のドットパターンアドレスに対応する患者ＩＤと、容器Ａが移替え元容器であることを示す情報とを端末装置６０へ送信する。端末装置６０は、これらの情報を受信し、容器Ａが移替え元容器として使用されることを知る。端末装置６０は、これらの情報をデータベースに記憶する。
【００４４】
次に、作業者は電子ペン１０で容器Ｂの「入」欄３３にチェックマークを記入する。これにより、電子ペン１０は、容器Ｂの識別票３２のドットパターンアドレスに対応する患者ＩＤと、容器Ｂが移替え先容器であることを示す情報とを端末装置６０へ送信する。端末装置６０は、これらの情報を受信し、容器Ｂが移替え先容器として使用されることを知る。端末装置６０は、これらの情報をデータベースに記憶する。
【００４５】
以上の作業によって電子ペン１０から端末装置６０へ送信される情報には、日時の情報と、各容器に貼付された識別票３２から取得した患者ＩＤと、各容器３０が移替え元容器として使用されるか移替え先容器として使用されるかを示す情報と、が含まれている。端末装置６０は、受信した情報に基づいて、移替え元容器の患者ＩＤと移替え先容器の患者ＩＤとを比較し、両者が一致する場合に移替えが正しく行われていると判定することができる。即ち、端末装置６０は、２つの容器が同一患者の検体に対応し、かつ、移替え元容器と移替え先容器の組み合わせが正しい場合に、移替えが正しく行われていると判定する。一方、移替え元容器の患者ＩＤと移替え先容器の患者ＩＤとが一致しない場合には、他の患者の検体を使用していると考えられるので、端末装置６０は移替え作業に誤りがあるとして表示や音声による警告を行う。このように、本実施形態では、電子ペン１０から取得した情報に基づいて、検体の取り違えを防止することができる。また、電子ペン１０で識別票３２にチェックマークなどの記入を行う際には、当然作業者の目視によるチェックが行われるので、人間の目視によるチェックと管理システムによるチェックとを併用することができ、より高い信頼性を確保することができる。
【００４６】
図８は、上述した１回の移替え作業を行った場合の端末装置６０の表示画面例を示す。表示画面には、電子ペン１０が取得した患者ＩＤに対応する患者名が表示され、各作業の日時に対応して作業の内容が表示される。この例では、２０１２年６月１５日の１７：００に管理シート４０上で工程１（精子操作）が選択され、１７：０１に容器Ａから検体が取り出され、容器Ｂに移されたことが示されている。
【００４７】
また、端末装置６０は、検体の識別情報である患者ＩＤが一致し、かつ、移替え元容器と移替え先容器とが正しく対応していることを確認することにより、移替えが正しく行われたことを示す「ＯＫ」マークを表示している。なお、電子ペン１０のＩＤと作業者名とを対応付けておくことにより、各作業を行った作業者名（図８の例では「培養士Ａ」）も同時に表示することができる。
【００４８】
図９は、工程１（精子操作）として複数回の移替え作業を行う場合の端末装置６０の表示画面例である。作業者が管理シート４０の工程１のチェックボックス４２に記入を行うと、端末装置６０はその情報を電子ペン１０から取得し、表示画面中の「工程」欄の「精子操作」をアクティブ表示にする。また、複数回の移替え作業のそれぞれについて「ＯＫ」が表示されている。複数回の移替え作業がある場合には、この表示画面により作業がどの段階まで進んでいるかを容易に認識できる。
【００４９】
（端末装置の処理）
図１０は、端末装置６０の機能ブロックを示す。端末装置６０は、機能的には、受信部６１、記憶部６２、判定部６３、警告部６４、記憶装置６５、表示装置６６、スピーカ６７を備える。
【００５０】
記憶装置６５はハードディスクやメモリなどの記憶媒体であり、作業内容の履歴などを記録するデータベースを構成する。表示装置６６は、図８、図９に例示するような表示画面を表示する。スピーカ６７は、作業者による作業中に、必要に応じて操作音や警告音を出力する。
【００５１】
受信部６１は、無線通信により電子ペン１０から送信される情報を受信する。記憶部６２は、受信部６１が電子ペン１０から受信した情報を記憶装置６５に記憶する。判定部６３は、電子ペン１０から受信した情報に基づいて、患者ＩＤが一致し、かつ、移替え元容器と移替え先容器との対応関係が正しいか否かを判定する。警告部６４は、患者ＩＤが一致しない、又は、移替え元容器と移替え先容器との対応関係が正しくないと判定したときに、表示装置６６上へＮＧマークを表示し、スピーカから警告音を発する。なお、受信部６１、記憶部６２、判定部６３及び警告部６４は、端末装置６０を構成するコンピュータが予め用意されたプログラムを実行することにより構成される。
【００５２】
図１１は、上述の移替え作業時に端末装置６０が行う処理のフローチャートである。
まず、作業者が電子ペン１０を用いて管理シート４０で工程を特定する記入を行うと（ステップＳ１１）、その情報が電子ペン１０から端末装置６０へ送信される。端末装置６０の受信部６１はその情報を受信し、記憶装置６５に記憶する（ステップＳ１２）。
【００５３】
次に、作業者が電子ペン１０を用いて移替え元容器の「出」欄３４に記入を行うと（ステップＳ１３）、その情報が電子ペン１０から端末装置６０へ送信される。端末装置６０の受信部６１はその情報を受信し、記憶装置６５に記憶する（ステップＳ１４）。次に、作業者が電子ペン１０を用いて移替え先容器の「入」欄３３に記入を行うと（ステップＳ１５）、その情報が電子ペン１０から端末装置６０へ送信される。端末装置６０の受信部６１はその情報を受信し、記憶装置６５に記憶する（ステップＳ１６）。
【００５４】
次に、端末装置６０の判定部６３は、受信した情報に基づいて、患者ＩＤが一致しており、かつ、移替え元容器と移替え先容器が正しく対応しているか、即ち移替えが正しく行われているか否かを判定する（ステップＳ１７）。移替えが正しく行われていない場合（ステップＳ１７；Ｎｏ）、警告部６４は表示装置６６の表示画面への表示及びスピーカ６７からの音声出力により警告を行う（ステップＳ１８）。一方、移替えが正しく行われている場合（ステップＳ１７；Ｙｅｓ）、端末装置６０は図８に例示するように「ＯＫ」を端末装置６６に表示する（ステップＳ１９）。
【００５５】
［変形例］
上記の実施形態では管理シート４０を使用しているが、管理シート４０を使用しないこととしてもよい。即ち、作業者は、移替え作業時に、移替え元容器への記入、移替え先容器への記入を順に行う。端末装置６０は、各記入によって電子ペン１０から受信した情報に基づいて、上述の実施形態と同様に移替え作業が正しく行われたか否かを判定すればよい。この場合の端末装置６０による処理は、図１１に示すフローチャートにおいてステップＳ１１、Ｓ１２が省略されたものとなるが、それ以外は同様の処理が行われる。
【００５６】
上記の実施形態では、端末装置６０は２つの容器が同一患者に対応し、かつ、移替え元容器と移替え先容器の組み合わせが正しいことを確認している。これに加えて、端末装置６０は、「入」欄３３にチェックマークが記入されている容器であって、現在処理が進行中であるものを除いた全ての容器について、「出」欄３４に正しくチェックマークが記入されていること、即ち、容器単位での移替えの整合性を確認することができる。これにより、出所不明の検体を使用していないこと、検体が行先不明となることがないこと、などを確認し、正しく工程を終えたことを確認することができる。
【００５７】
上記の実施形態において、「入」欄、「出」欄にさらに工程番号を対応付けておくこととしてもよい。即ち、「入」欄、「出」欄の位置座標情報には、移替え先／元容器であることを示す情報に加えて、工程番号（第Ｘ工程）を示す情報を対応付ける。これにより、端末装置６０は、患者の一致、容器の組み合わせの一致に加えて、工程の一致を確認することができる。即ち、患者が一致していても、異なる工程で使用すべき容器が誤って使用されている場合に、それを検出し警告を発することができる。具体的には、管理シートを使用する場合、端末装置６０は、患者が同一であっても、管理シートでチェックがされた工程の工程番号と、移替え元容器及び移替え先容器の工程番号とが一致しないときには、その工程では使用しないはずの容器が使用されていると判断して警告を発することができる。また、管理シートを使用しない場合でも、端末装置６０は、患者が同一であっても、移替え元容器の工程番号と移替え先容器の工程番号とが一致しないときには、その工程では使用しないはずの容器が使用されていると判断して警告を発することができる。
【００５８】
上記の実施形態は、移替え元容器と移替え先容器とが１対１のケースを説明しているが、その他に、複数の移替え元容器から１つの移替え先容器へ移替えを行うケースもある。例えば、容器Ａから容器Ｂへ受精卵を移動するとともに、容器Ｃから容器Ｂへ培養液を添加するような場合である。また、１つの移替え元容器から複数の移替え先容器へ移替えを行うケースもある。例えば、容器Ｄから容器Ｅと容器Ｆへ精子の一部を分注するような場合である。このようなケースにおいても本発明の適用が可能である。具体的には、移替えの容器が１対複数となる工程は予めわかっているので、その工程で使用する容器に貼る識別票３２には、「出」・「入」欄だけではなく、「分出」・「分入」、「全出」・「全入」などの欄を設けておけばよい。
【００５９】
例えば、複数（ｎ個）の容器から１つの容器へ移替えを行うケースでは、ｎ個の移替え元容器にはそれぞれ「出」欄を設け、１つの移替え先容器にはｎ個の「分入」欄と１つの「全入」欄を設ける。なお、「全入」欄は、ｎ個の移替え元容器からの移替え全てが完了したときにチェックマークが記入される欄である。識別票３２においては、「出」欄にはその容器が移替え元容器であることを示す情報が対応付けられ、「分入」欄にはその容器が移替え先容器であることを示す情報が対応付けられ、「全入」欄には移替え元容器の数（即ちｎ）が対応付けられる。移替えの際に複数の移替え元容器の「出」欄と、移替え先容器の複数の「分入」欄及び「全入」欄がチェックされると、端末装置６０はそれらに対応する情報を取得する。そして、複数の移替え元容器から取得した移替え元容器を示す情報の数と、「全入」欄に対応付けられている移替え元容器の数とが一致する場合に、移替えが正しく行われたと判断する。
【００６０】
一方、１つの容器から複数（ｍ個）の容器へ移替えを行うケースでは、１つの移替え元容器にはｍ個の「分出」欄と「全出」欄とを設け、ｍ個の移替え先容器のそれぞれには「入」欄を設ける。なお、「全出」欄は、ｍ個の移替え先容器への移替え全てが完了したときにチェックマークが記入される欄である。そして、「分出」欄にはその容器が移替え元容器であることを示す情報が対応付けられ、「全出」欄には移替え先容器の数（ｍ）が対応付けられ、「入」欄にはその容器が移替え先容器であることを示す情報が対応付けられる。移替えの際に１つの移替え元容器の複数の「分出」欄及び「全出」欄と、複数の移替え先容器の「入」欄がチェックされると、端末装置６０はそれらに対応する情報を取得する。そして、複数の移替え先容器から取得して移替え先容器を示す情報の数と、「全出」欄に対応付けられている移替え先容器の数とが一致する場合に、移替えが正しく行われたと判断する。
【００６１】
上記の実施形態では、検体の識別情報として患者ＩＤを用いているが、移替えの対象となる物質の同一性を保証できる識別情報であれば、他の識別情報を使用してもよい。例えば、同一の患者からの検体であって別の日に採取したものを異なる検体ＩＤで管理するような場合には、検体の識別情報として検体ＩＤを使用することができる。
【００６２】
上記の実施形態では、検体の識別情報である患者ＩＤが同一であり、かつ、移替え元容器と移替え先容器の組み合わせが正しい場合に移替えが正しく行われていると判定している。その代わりに、より簡易なチェック方法として、検体の識別情報の同一性のみをチェックすることとしてもよい。即ち、端末装置６０は、２つの容器から取得した患者ＩＤが一致する場合に移替えが正しく行われていると判定してもよい。
【符号の説明】
【００６３】
１０  電子ペン
２０  専用ペーパー
３０  容器
３２  識別票
４０  管理シート
６０  端末装置
【図１】
2014067216.tif 000003
【図２】
2014067216.tif 000004
【図３】
2014067216.tif 000005
【図４】
2014067216.tif 000006
【図５】
2014067216.tif 000007
【図６】
2014067216.tif 000008
【図７】
2014067216.tif 000009
【図８】
2014067216.tif 000010
【図９】
2014067216.tif 000011
【図１０】
2014067216.tif 000012
【図１１】
2014067216.tif 000013